(57)【特許請求の範囲】
【請求項１】
アーム先端の両側面がアーム後端側に延びる陥没された構造に形成され、アーム後端が取っ手のジョーに嵌め込み固定されるアームと、
前記アーム先端の両側面に結合され所定の間隔を置いて並んで配置され、直線往復運動する二つの鋸刃を備えた双鋸刃と、
左右の一方の面が突出された構造に形成され、他方の面が前記突出した構造に密着する形状の陥没された構造に形成されると共に、前記突出された構造が前記アーム先端の両側面の陥没された構造に対して相互の面が密着する形状とし、前記アーム先端の両側面と前記双鋸刃のそれぞれの鋸刃との間に選択的に介在されて前記双鋸刃の間隔を調整する複数の間隔部材と、
前記二つの鋸刃、前記間隔部材の左面と右面、前記アーム先端の側面を貫通するボルト及び該ボルトに螺着するナットからなり、前記アーム先端の両側面に複数の前記間隔部材を介して双鋸刃を密着固定する締結手段と、を備え、
前記アーム先端の陥没された側面と間隔部材の突出された面、前記複数の間隔部材相互の突出された面と陥没された面、および前記鋸刃の後部と間隔部材の陥没された面を前記締結手段によりそれぞれ密着固定し、前記アーム先端の側面と間隔部材の間、および間隔部材と二つの鋸刃の間の相対移動を押さえ、且つ、二つの鋸刃がアームに対して相対回転されないことを特徴とする頬骨切断用鋸。
【発明の詳細な説明】
【０００１】
【発明の属する技術分野】
本発明は、突出している頬骨を引っ込めるための成形手術時、頬骨の一部を切断することに使用される頬骨切断用鋸に関するものであって、特に間隔を調整できる二つの鋸刃を備え予め設定した幅で一度に正確に切断することのできる頬骨切断用鋸に関する。
【０００２】
【従来の技術】
人体の頬骨は、顔の両側の目尻から突出した顔面骨で、適度な高さに突出している場合、顔に生気と立体感を与えたり、ふくよかな顔つきに見えるが、非常に多く出ていると、正面顔から顔の幅が広く見えて相対的に鼻が低く見えてしまうことにより顔の容貌を損なう要因となる。特に頬骨が凸に突出していて、しかも四角張った頬を持っていると厳しくて強い印象を与えたり、他人に拒絶反応を起こさせることさえもある。
【０００３】
これに対し、最近、突出した頬骨を引っ込め、印象を柔らかくする成形手術が広く行われている。
【０００４】
頬骨を引っ込める成形手術は、頬骨の突出方向と突出程度によって方法と難易度が異なる。頬骨が前方に突出した場合、突出した部分のみを削り取るだけで引っ込めることができるが、前方に突出した程度が深刻だったり、または側方に突出している場合、頬骨の一部を切断した後、両側から分離された部分を内側へ押し込み、切取られた両側断面を縫合することによって効果がある。
【０００５】
一方、頬骨成形手術で頬骨の一部を切断する時に使用された従来の頬骨切断用鋸(10)は、図１に図示されたように、細長い直線棒状のアーム(11)と、上記アーム(11)の先端に装着された鋸刃(12)からなっており、図２に図示されたように、そのアーム(11)の後端側の固定端(11a)が電動機具を内臓した取っ手(20)のジョー(21)に装着されるため、ジョー(21)によって直線往復運動しながらその鋸刃部(12)により切開された皮膚を通して露出された頭蓋骨(100)の頬骨(101)が切断されるように構成されていた。
【０００６】
しかし、このような従来の頬骨切断用鋸を使用する場合、その鋸刃部(12)が一つからなっているため、頬骨を部分的に切断するためには図３に図示されたように、少なくとも二度にわたる切断作業が必要で、その手術は大変な手間と時間がかかるという問題点があった。それだけではなく、頬骨を切断する際、視野確保が難しく、切開された皮膚を通して肉眼に頼って切断間隔を調整しなければならないため顔の両側の各頬骨切断幅の調整が非常に難しく、手術後の顔の左右が非対称となる後遺症の発生頻度が非常に高かった。
【０００７】
【発明が解決しようとしている課題】
本発明は、上述したような従来の頬骨切断用鋸が誘発する問題点を解消するための、予め間隔が調整され固定される二つの鋸刃を備え、一度の切断作業のみで頬骨の一部を予め設定した幅で正確に切断できる頬骨切断用鋸を提供することに目的がある。
【０００８】
【課題を解決するための手段】
上記の目的を達成するため、本発明に係る頬骨切断用鋸はアーム先端の両側面がアーム後端側に延びる陥没された構造に形成され、アーム後端が取っ手のジョーに嵌め込み固定されるアームと、
前記アーム先端の両側面に結合され所定の間隔を置いて並んで配置され、直線往復運動する二つの鋸刃を備えた双鋸刃と、
左右の一方の面が突出された構造に形成され、他方の面が前記突出した構造に密着する形状の陥没された構造に形成されていると共に、前記突出された構造が前記アーム先端の両側面の陥没された構造に対して相互の面が密着する形状とし、前記アーム先端の両側面と前記双鋸刃のそれぞれの鋸刃との間に選択的に介在されて前記双鋸刃の間隔を調整する複数の間隔部材と、
前記二つの鋸刃、前記間隔部材の左面と右面、前記アーム先端の側面を貫通するボルト及び該ボルトに螺着するナットからなり、前記アーム先端の両側面に複数の前記間隔部材を介して双鋸刃を密着固定する締結手段と、を備え、
前記アーム先端の陥没された側面と間隔部材の突出された面、前記複数の間隔部材相互の突出された面と陥没された面、および前記鋸刃の後部と間隔部材の陥没された面を前記締結手段によりそれぞれ密着固定し、前記アーム先端の側面と間隔部材の間、および間隔部材と二つの鋸刃の間の相対移動を押さえ、且つ、二つの鋸刃がアームに対して相対回転されないことを特徴とする。
【０００９】
【発明の実施形態】
以下、本発明による頬骨切断用刃の構成と作用を望ましい実施例を通してさらに詳しく説明する。
【００１０】
図４は双鋸刃構造の頬骨切断用鋸の斜視図であり、図５は双鋸刃構造の頬骨切断用鋸が装着された電動鋸の斜視図である。
【００１１】
図４に図示されたごとく、頬骨切断用鋸(30)は細長い棒状のアーム(31)と；前記アーム(31)の先端に結合される双鋸刃(32)とから構成されている。
【００１２】
前記アーム(31)は、その先端に双鋸刃(32)に結合される所定長さの円形棒として結合構造が成形された後端の固定端(31a)が、図５に示すように取っ手(20)のジョー(jaw)(21)に結合されることによって双鋸刃(32)を取扱いやすいように取っ手(20)の先端により所定の距離を置いて取っ手(20)に固定するとともに、取っ手(20)の直線往復の運動エネルギーを双鋸刃(32)に伝達する。特に、取っ手が電動機具(図示されていない)を内蔵する場合には、前記電動機具によって往復動するように構成された、ジョー(21)の直線運動のエネルギーを双鋸刃(32)に伝達する。
【００１３】
前記双鋸刃(32)は、前記アーム(31)の先端に結合されてそのアーム(31)と同様に直線往復運動しながらその下部に沿って形成された多数の鋸目で頬骨を直接切断するものとして、一定した間隔を置いて並んで配置される二つの鋸刃(32a、32b)を備え、頬骨の少なくとも二つの部分を同時に切断する。
【００１４】
以上のような構成からなっていることにより、頬骨切断用鋸(30)は取っ手(20)に内蔵された電動機具によって直線往復運動するジョー(21)によってアーム(31)と双鋸刃(32)とが直接往復運動することになる。さらに図６に図示されたごとく、頬骨切断手術に使用される場合、双鋸刃(32)の両側鋸刃(32a、32b)で頬骨(101)の少なくとも二つの部分を同時に切断することができるため、一度の切断作業のみで頬骨(101)の一部を切断することができる。
【００１５】
一方、図７は、本発明の実施例による頬骨切断用鋸の分解斜視図である、
【００１６】
図示されたように、頬骨切断用鋸(40)は、その双鋸刃(42)のそれぞれの鋸刃(42)が相互分離された状態で、アーム(41)の先端にボルト(43)とナット(44)とから構成された締結手段によって固定されるように構成されており、特に双鋸刃(42)のそれぞれの鋸刃(42a、42b)が前記アーム(41)の先端の両側側面に対し間隔部材(45)を０〜４個まで選択的にそれぞれ介在され前記ボルト(43)とナット(44)とによって密着固定されるように構成されている。そして、各間隔部材(45)の左面と右面、およびアーム(41)先端の両側面は、図７と８に示したように、相互呼応して突出されるか陥没される構造、即ち、間隔部材(45)の突出された構造がアーム先端の両側面の陥没された構造に対して相互の面が密着する形状に形成されている。この構造により、それぞれの鋸刃(42a、42b)が間隔部材(45)を介在してアームの先端に結合された後、図7に示された多数の鋸目を下にしたときの各間隔部材（45）の上下方向の相対移動及び前記それぞれの鋸刃(42a、42b)の上下方向の移動が抑止される。
【００１７】
以上のような構成からなる、本実施例による頬骨切断用鋸(40)を使用して頬骨(101)を切断する場合、双鋸刃(42)の二つの鋸刃(42a、42b)で頬骨(101)の二つの部分を同時に切断することができるため、一度の切断作業によって頬骨(101)の一部を切断することができる。特に間隔部材(45)を更に含んで双鋸刃(42)のそれぞれの鋸刃(42a、42b)間の間隔調整が可能なため頬骨の切断幅を多様に調整することができるという利点がある。
【００１８】
【発明の効果】
以上から詳細に説明したように、本発明によれば、頬骨切断用鋸は取っ手または電動取っ手に内蔵された電動機具によって直線往復運動をすることから、頬骨切断手術に用いる場合、予めその間隔を調整し結合した双鋸刃の両側鋸刃で頬骨の正確な切取間隔で二個所を同時に切断することができるため、一度の切断作業のみに頬骨の一部を予め設定された切断幅で正確に切断することができる。従って、本発明による頬骨切断用鋸を頬骨切断手術に用いると頬骨切断を非常に簡便にすることができ、頬骨の成形手術にかかる時間も大幅に短縮することができる。しかも両側の頬骨を予め設定した幅で正確に切断することができるため、頬骨の成形手術の際、左右頬骨の切断幅の誤差により引き起こされる、顔の左右が非対称になる後遺症の発生頻度を画期的に減らすことができる。
【図面の簡単な説明】
【図１】  従来の頬骨切断用鋸の斜視図である。
【図２】  従来の頬骨切断用鋸が装着された電動鋸の斜視図である。
【図３】  従来の頬骨切断用鋸の使用状態図である。
【図４】  双鋸刃構造の頬骨切断用鋸斜視図である。
【図５】  双鋸刃構造の頬骨切断用鋸が装着された電動鋸の斜視図である。
【図６】  双鋸刃構造の頬骨切断用鋸の使用状態図である。
【図７】  本発明の実施例による頬骨切断用鋸の分解斜視図である。
【図８】  図７のVIII-VIII線断面図である。
【図１】
0003899025.tif 000002
【図２】
0003899025.tif 000003
【図３】
0003899025.tif 000004
【図４】
0003899025.tif 000005
【図５】
0003899025.tif 000006
【図６】
0003899025.tif 000007
【図７】
0003899025.tif 000008
【図８】
0003899025.tif 000009